【手続補正書】
【提出日】平成16年5月21日(2004.5.21)
【手続補正１】
【補正対象書類名】明細書
【補正対象項目名】特許請求の範囲
【補正方法】変更
【補正の内容】
【特許請求の範囲】
【請求項１】
画像データを複数ブロックに分割し、各ブロックごとに符号化された画像データを復号する復号化装置において、
前記複数のブロックのそれぞれの符号化で使用された符号化テーブルを判断する判断手段と、
前記判断手段により同じ符号化テーブルを使用して符号化されたと判断された符号化データを、単一の符号化データとして再構築する再構築手段と、
前記再構築手段により再構築された前記符号化データを復号する復号化手段と、
を有することを特徴とする画像データの復号化装置。
【請求項２】
画像データを複数ブロックに分割し、各ブロックごとにＪＰＥＧ符号化された画像データを復号する復号化装置において、
前記複数のブロックのそれぞれの符号化で使用された符号化テーブルを判断する判断手段と、
前記判断手段により判断された符号化テーブルの同一性に基づいて、各ブロックの符号化データの境界に制御コードを挿入して符号化データを再構築する再構築手段と、
前記再構築手段により再構築された前記符号化データを復号する復号化手段と、
を有することを特徴とする画像データの復号化装置。
【請求項３】
画像データを複数ブロックに分割し、各ブロックごとにＪＰＥＧ符号化された画像データを復号する復号化装置において、
前記複数のブロックのそれぞれの符号化で使用された符号化テーブルを判断する判断手段と、
前記判断手段により判断された符号化テーブルの同一性に基づいて、各ブロックの符号化データのエントロピーコードを抽出し、各ブロックに対応する前記エントロピーコードの境界にリスタートコードを挿入して符号化データを再構築する再構築手段と、
前記再構築手段により再構築された前記符号化データを復号する復号化手段と、
を有することを特徴とする画像データの復号化装置。
【請求項４】
画像データを複数ブロックに分割し、各ブロックごとにＪＰＥＧ符号化された画像データを復号する復号化装置において、
前記複数のブロックのそれぞれの符号化で使用された符号化テーブルを判断する判断手段と、
前記判断手段により判断された符号化テーブルの同一性に基づいて、前記ＪＰＥＧ符号化されていないブロック以外の符号化データを再構築する再構築手段と、
前記再構築手段により再構築された前記符号化データを復号する復号化手段と、
を有することを特徴とする画像データの復号化装置。
【請求項５】
画像データを複数ブロックに分割し、各ブロックごとに符号化された画像データを復号する復号化方法において、
前記複数のブロックのそれぞれの符号化で使用された符号化テーブルを判断する判断工程と、
前記判断工程で同じ符号化テーブルを使用して符号化されたと判断された符号化データを、単一の符号化データとして再構築する再構築工程と、
前記再構築工程で再構築された前記符号化データを復号する復号化工程と、
を有することを特徴とする画像データの復号化方法。
【請求項６】
画像データを複数ブロックに分割し、各ブロックごとに符号化された画像データを復号する復号化方法において、
前記複数のブロックのそれぞれの符号化で使用された符号化テーブルを判断する判断工程と、
前記判断工程で判断された符号化テーブルの同一性に基づいて、各ブロックの符号化データの境界に制御コードを挿入して符号化データを再構築する再構築工程と、
前記再構築工程で再構築された前記符号化データを復号する復号化工程と、
を有することを特徴とする画像データの復号化方法。
【請求項７】
画像データを複数ブロックに分割し、各ブロックごとにＪＰＥＧ符号化された画像データを復号する復号化方法において、
前記複数のブロックのそれぞれの符号化で使用された符号化テーブルを判断する判断工程と、
前記判断工程で判断された符号化テーブルの同一性に基づいて、各ブロックの符号化データのエントロピーコードを抽出し、各ブロックに対応する前記エントロピーコードの境界にリスタートコードを挿入して符号化データを再構築する再構築工程と、
前記再構築工程で再構築された前記符号化データを復号する復号化工程と、
を有することを特徴とする画像データの復号化方法。
【請求項８】
画像データを複数ブロックに分割し、各ブロックごとにＪＰＥＧ符号化された画像データを復号する復号化方法において、
前記複数のブロックのそれぞれの符号化で使用された符号化テーブルを判断する判断工程と、
前記判断工程で判断された符号化テーブルの同一性に基づいて、前記ＪＰＥＧ符号化されていないブロック以外の符号化データを再構築する再構築工程と、
前記再構築工程で再構築された前記符号化データを復号する復号化工程と、
を有することを特徴とする画像データの復号化方法。
【請求項９】
画像データを複数ブロックに分割し、各ブロックごとに符号化された画像データを復号する復号化方法を実行するプログラムを記憶したコンピュータにより読取り可能な記憶媒体であって、
前記複数のブロックのそれぞれの符号化で使用された符号化テーブルを判断する判断工程モジュールと、
前記判断工程モジュールで同じ符号化テーブルを使用して符号化されたと判断された符号化データを、単一の符号化データとして再構築する再構築工程モジュールと、
前記再構築工程モジュールにより再構築された前記符号化データを復号する復号化工程モジュールと、
を有することを特徴とする記憶媒体。
【請求項１０】
画像データを複数ブロックに分割し、各ブロックごとに符号化された画像データを復号する復号化方法を実行するプログラムを記憶したコンピュータにより読取り可能な記憶媒体であって、
前記複数のブロックのそれぞれの符号化で使用された符号化テーブルを判断する判断工程モジュールと、
前記判断工程モジュールにより判断された符号化テーブルの同一性に基づいて、各ブロックの符号化データの境界に制御コードを挿入して符号化データを再構築する再構築工程モジュールと、
前記再構築工程モジュールにより再構築された前記符号化データを復号する復号化工程モジュールと、
を有することを特徴とする記憶媒体。
【手続補正２】
【補正対象書類名】明細書
【補正対象項目名】０００６
【補正方法】変更
【補正の内容】
【０００６】
【課題を解決するための手段】
上記目的を達成するために本発明の画像データの復号化装置は以下のような構成を備える。即ち、
画像データを複数ブロックに分割し、各ブロックごとに符号化された画像データを復号する復号化装置において、
前記複数のブロックのそれぞれの符号化で使用された符号化テーブルを判断する判断手段と、
前記判断手段により同じ符号化テーブルを使用して符号化されたと判断された符号化データを、単一の符号化データとして再構築する再構築手段と、
前記再構築手段により再構築された前記符号化データを復号する復号化手段とを有することを特徴とする。
【手続補正３】
【補正対象書類名】明細書
【補正対象項目名】０００７
【補正方法】変更
【補正の内容】
【０００７】
上記目的を達成するために本発明の画像データの復号方法は以下のような工程を備える。即ち、
画像データを複数ブロックに分割し、各ブロックごとに符号化された画像データを復号する復号化方法において、
前記複数のブロックのそれぞれの符号化で使用された符号化テーブルを判断する判断工程と、
前記判断工程で同じ符号化テーブルを使用して符号化されたと判断された符号化データを、単一の符号化データとして再構築する再構築工程と、
前記再構築工程で再構築された前記符号化データを復号する復号化工程とを有することを特徴とする。